(57)【要約】【課題】光ディスク上に付着したゴミを除去する手段を設けて、動作を正確に行うことが可能な光ディスク装置を提供する。【解決手段】光ディスクに対して情報の記録または再生の少なくとも一方を行う光ディスク装置において、記録または再生を行う前に、光ディスクを回転させるスピンドルモータの回転速度を記録時の回転速度より大きく設定して光ディスクを回転させて、光ディスク上に付着したゴミを除去する手段を設けた。これにより、光ディスク上に付着したゴミを簡単に除去することができ、記録再生動作を正確に行うことが可能な光ディスク装置を実現することができる。【選択図】図３
2006107635.tif 000002
【特許請求の範囲】
【請求項１】
光ディスクに対して記録または再生を行う前に、光ディスクを回転させるスピンドルモータの回転速度を記録時の回転速度より大きく設定して光ディスクを回転させて、光ディスク上に付着したゴミを除去することを特徴とする光ディスクのゴミ除去方法。
【請求項２】
光ディスクに対して情報の記録または再生の少なくとも一方を行う光ディスク装置において、記録または再生を行う前に、光ディスクを回転させるスピンドルモータの回転速度を記録時の回転速度より大きく設定して光ディスクを回転させて、光ディスク上に付着したゴミを除去する手段を設けたことを特徴とする光ディスク装置。
【請求項３】
前記ゴミを吸着する粘着性部材を設けたことを特徴とする請求項２記載の光ディスク装置。
【発明の詳細な説明】
【技術分野】
【０００１】
本発明は、光ディスク上に付着したゴミを除去する方法と、このゴミ除去方法を実現する手段を設けた光ディスク装置に関する。
【背景技術】
【０００２】
光ディスク装置は、オーディオ用ＣＤをはじめとして、ＣＤ−ＲＯＭ、ＣＤ−Ｒ／ＲＷ、ＤＶＤなどがすでに実用化されており、各方面への応用と高性能化への開発が活発に行われている。特に最近では、パーソナルコンピュータの急速な市場拡大に伴い光ディスク装置のパーソナルコンピュータへの内蔵普及率も高くなっている。
【０００３】
図１０は、従来のスリムトレイタイプ光ディスク装置の外観を示す図である。図１０において、１はピックアップモジュール、２は光ピックアップ、３はスピンドルモータ、４はトレイ、５はトレイオープンボタン、６は上筐体である。
【０００４】
ピックアップモジュール１はトレイ４部分に配置されて、前後に移動する構造となっており、光ディスクの再生・記録を行う際には、光ディスクをスピンドルモータ３に装着してトレイ４を押し入れる。トレイ４の内部には、トレイ４を筐体６にロックするためのソレノイドとマグネットによって構成されたロック機構が設けられている。トレイが押し入れられると、トレイクローズ検出スイッチ（図示せず）が閉じられることによってドライブが起動動作を開始する。光ディスクを取り出す際には、トレイオープンボタン５を押すと、ソレノイドに通電され、トレイ４のマグネットロックが解除されてばねの弾性力によってトレイ４が前面に押し出される。
【０００５】
ここで、光ディスク装置の構成を図２を用いて説明する。
【０００６】
図２は光ディスク装置のピックアップ制御部のブロック図である。図２において、１はピックアップモジュール、２は光ピックアップ、３はスピンドルモータ、７は光ディスク、８はキャリッジ、９はフィード部、１０はフィードモータ、１１はアナログ信号処理部、１２はサーボ処理部、１３はモータ駆動部、１４はディジタル信号処理部、１５はレーザ駆動部、１６はコントローラである。
【０００７】
以上のように構成された従来の技術におけるピックアップ制御部の動作について説明する。図８において、ピックアップモジュール１は、光ディスク７を回転させるスピンドルモータ３と、光ディスク７の情報信号を読み取るための光ピックアップ２と、光ピックアップ２が搭載されたキャリッジ８を光ディスクの半径方向に移動させるためのフィード部９とによって構成されたものである。アナログ信号処理部１１はピックアップモジュール１の内部に設けられたキャリッジ８中の光ピックアップ２内部の光センサ（図示せず）からの信号出力を基に、フォーカスエラー信号とトラッキングエラー信号とを生成し、サーボ処理部１２に出力する。
【０００８】
フォーカスエラー信号とは、光ピックアップ２に備えられた対物レンズ（図示せず）より出射される光ビームスポットと光ディスク７の記録面との焦点方向のずれを示す。トラッキングエラー信号とは、前記光スポットと光ディスク７の情報トラックの光ディスク半径方向のずれを示す。また、アナログ信号処理部１１はトラッキングエラー信号の低域成分を取り出す事により、対物レンズとキャリッジ８との相対的な位置関係を示すレンズ位置信号を生成し、サーボ処理部１２に出力する。
【０００９】
サーボ処理部１２はＯＮ／ＯＦＦ回路、演算回路、フィルタ回路、増幅回路等によって構成され、光ビームスポットが光ディスク７の情報トラックに追従するように対物レンズをフォーカス／トラッキング制御し、さらにトラッキングエラー信号の低域成分を用いて対物レンズが概略中立位置を保持するようにフィード制御を行う。フィード部９はフィードモータ１０、ギヤ（図示せず）、スクリューシャフト（図示せず）等から構成され、フィードモータ１０を回転させることによってキャリッジ８が移動するようになっている。
【００１０】
ディジタル信号処理部１４はデータスライサ、データＰＬＬ回路、ジッタ測定回路、エラー訂正部、変／復調部、バッファメモリ、レーザ制御部等から構成されており、ホスト（図中のＨＯＳＴ）側へ有効なデータとして転送される。
【００１１】
記録動作時は、ディジタル信号処理部１４によってホストから送られてきたデータを変調し、レーザ制御部によってレーザ駆動部１５を介して光ピックアップ２内のレーザ（図示せず）等の光源に所定の電流を供給し、光源を例えばパルス状に発光させ、光ディスク７の情報トラックに記録を行う。コントローラ１６はこのように構成されたサーボ部の全体のコントロールを行うものである。
【００１２】
図７は、従来の光ディスク装置における起動動作の手順を示す図である。起動が開始されると、システム初期化がなされ（Ｓ７１）、メディアの判別を行い（Ｓ７２）、メディアの有無の判定を行う（Ｓ７３）。その結果、メディアなしと判定されると、停止してコマンド待ち状態となる（Ｓ７４）。メディアありと判定されると、第１の回転速度に設定する（Ｓ７５）。その後、サーボ調整（Ｓ７６）、信号調整（Ｓ７７）、メディア情報取得（Ｓ７８）を行う。次に、第２の回転速度に設定し（Ｓ７９）、サーボ調整（Ｓ８０）、信号調整（Ｓ８１）を行って起動を終了しコマンド待ち状態となる。
【００１３】
図８に、従来の光ディスク装置における記録動作の手順を示す。記録が開始されると、記録学習が行われ（Ｓ９１）、データ記録がなされて（Ｓ９２）記録を終了する。
【００１４】
しかし、図９に示すように、光ディスク上にゴミが付着すると、記録動作を正確に行うことができない。光ディスク上にゴミが付着していても光ディスク装置の動作がエラーとならないようにしたものが、（特許文献１）、（特許文献２）、（特許文献３）に記載されている。
【特許文献１】特開昭５９−４０３５５号公報
【特許文献２】特開昭５９−８７６２９号公報
【特許文献３】特開昭５９−１４０６５０号公報
【発明の開示】
【発明が解決しようとする課題】
【００１５】
しかし、光ディスク装置の動作が正確に行われるためには、ゴミが除去されるようにするのが最良であり、上記の特許文献にはいずれも、ゴミを除去する手段については開示されていない。
【００１６】
本発明は、上記の課題を解決するためになされたもので、光ディスク上に付着したゴミを除去する手段を設けて、動作を正確に行うことが可能な光ディスク装置を提供することを目的とする。
【課題を解決するための手段】
【００１７】
本発明は、上記の課題を解決するためになされたもので、光ディスクに対して記録または再生を行う前に、光ディスクを回転させるスピンドルモータの回転速度を記録時の回転速度より大きく設定して光ディスクを回転させて、光ディスク上に付着したゴミを除去す
ることを特徴とする光ディスクのゴミ除去方法である。
【発明の効果】
【００１８】
本発明によると、光ディスク上に付着したゴミを簡便に除去することができ、記録再生動作を正確に行うことが可能な光ディスク装置を実現することができる。
【発明を実施するための最良の形態】
【００１９】
本願の第１の発明は、光ディスクに対して記録または再生を行う前に、光ディスクを回転させるスピンドルモータの回転速度を記録時の回転速度より大きく設定して光ディスクを回転させて、光ディスク上に付着したゴミを除去することを特徴とする光ディスクのゴミ除去方法である。
【００２０】
光ディスクを回転させるスピンドルモータの回転速度を記録時の回転速度より大きく設定して光ディスクを回転させると、光ディスク上に付着したゴミは、光ディスクの回転によって容易に吹き飛ばされる。そのため、このゴミ除去処理を記録再生前に行うことにより、記録再生動作を正確に行うことができる。
【００２１】
本願の第２の発明は、光ディスクに対して情報の記録または再生の少なくとも一方を行う光ディスク装置において、記録または再生を行う前に、光ディスクを回転させるスピンドルモータの回転速度を記録時の回転速度より大きく設定して光ディスクを回転させて、光ディスク上に付着したゴミを除去する手段を設けたことを特徴とする光ディスク装置である。
【００２２】
光ディスクを回転させるスピンドルモータの回転速度を記録時の回転速度より大きく設定して光ディスクを回転させると、光ディスク上に付着したゴミは、光ディスクの回転によって容易に吹き飛ばされる。そのため、このゴミ除去処理を記録再生前に行うことにより、記録再生動作を正確に行うことが可能な光ディスク装置を実現することができる。
【００２３】
本願の第３の発明は、第２の発明において、前記ゴミを吸着する粘着性部材を設けたことを特徴とする。
【００２４】
粘着性部材を設けたことにより、光ディスクの回転によって吹き飛ばされたゴミを吸着させることができ、吹き飛ばされたゴミが再び光ディスク上に付着することを防止できる。
【００２５】
（実施の形態）
以下、本発明の光ディスク装置をその実施の形態に基づいて説明する。
【００２６】
図１は、本発明の実施の形態に係る光ディスク装置の、上筐体を取り外した状態での外観を示す図である。図１において、１はピックアップモジュール、２は光ピックアップ、３はスピンドルモータ、４はトレイ、５はトレイオープンボタン、６は上筐体、１７は下筐体、１８は基板、１９はフレキシブルプリントケーブル（ＦＰＣ）、２０は粘着性部材である。
【００２７】
ピックアップモジュール１はトレイ４部分に配置されて、前後に移動する構造となっており、光ディスクの再生・記録を行う際には、光ディスクをスピンドルモータ３に装着してトレイ４を押し入れる。トレイ４の内部には、トレイ４を筐体６にロックするためのソレノイドとマグネットによって構成されたロック機構が設けられている。トレイが押し入れられると、トレイクローズ検出スイッチ（図示せず）が閉じられることによってドライブが起動動作を開始する。光ディスクを取り出す際には、トレイオープンボタン５を押す
と、ソレノイドに通電され、トレイ４のマグネットロックが解除されてばねの弾性力によってトレイ４が前面に押し出される。粘着性部材２０は、以下に説明するゴミを吸着するためのものである。
【００２８】
本発明の実施の形態に係る光ディスク装置の構成を図２を用いて説明する。
【００２９】
図２は、本発明の光ディスク装置のピックアップ制御部のブロック図である。図２において、１はピックアップモジュール、２は光ピックアップ、３はスピンドルモータ、７は光ディスク、８はキャリッジ、９はフィード部、１０はフィードモータ、１１はアナログ信号処理部、１２はサーボ処理部、１３はモータ駆動部、１４はディジタル信号処理部、１５はレーザ駆動部、１６はコントローラである。
【００３０】
以上のように構成されたピックアップ制御部の動作について説明する。図２において、ピックアップモジュール１は、光ディスク７を回転させるスピンドルモータ３と、光ディスク７の情報信号を読み取るための光ピックアップ２と、光ピックアップ２が搭載されたキャリッジ８を光ディスクの半径方向に移動させるためのフィード部９とによって構成されたものである。アナログ信号処理部１１はピックアップモジュール１の内部に設けられたキャリッジ８中の光ピックアップ２内部の光センサ（図示せず）からの信号出力を基に、フォーカスエラー信号とトラッキングエラー信号とを生成し、サーボ処理部１２に出力する。
【００３１】
アナログ信号処理部１１はトラッキングエラー信号の低域成分を取り出す事により、対物レンズとキャリッジ８との相対的な位置関係を示すレンズ位置信号を生成し、サーボ処理部１２に出力する。
【００３２】
サーボ処理部１２はＯＮ／ＯＦＦ回路、演算回路、フィルタ回路、増幅回路等によって構成され、光ビームスポットが光ディスク７の情報トラックに追従するように対物レンズをフォーカス／トラッキング制御し、さらにトラッキングエラー信号の低域成分を用いて対物レンズが概略中立位置を保持するようにフィード制御を行う。フィード部９はフィードモータ１０、ギヤ（図示せず）、スクリューシャフト（図示せず）等から構成され、フィードモータ１０を回転させることによってキャリッジ８が移動するようになっている。
【００３３】
ディジタル信号処理部１４はデータスライサ、データＰＬＬ回路、ジッタ測定回路、エラー訂正部、変／復調部、バッファメモリ、レーザ制御部等から構成されており、ホスト（図中のＨＯＳＴ）側へ有効なデータとして転送される。
【００３４】
記録動作時は、ディジタル信号処理部１４によってホストから送られてきたデータを変調し、レーザ制御部によってレーザ駆動部１５を介して光ピックアップ２内のレーザ（図示せず）等の光源に所定の電流を供給し、光源を例えばパルス状に発光させ、光ディスク７の情報トラックに記録を行う。コントローラ１６はこのように構成されたサーボ部の全体のコントロールを行うものである。
【００３５】
図３は、本発明の光ディスク装置における起動動作の手順を示す図である。起動が開始されると、システム初期化がなされ（Ｓ１１）、メディアの判別を行い（Ｓ１２）、メディアの有無の判定を行う（Ｓ１３）。その結果、メディアなしと判定されると、停止してコマンド待ち状態となる（Ｓ１４）。メディアありと判定されると、第１の回転速度に設定する（Ｓ１５）。その後、サーボ調整（Ｓ１６）、信号調整（Ｓ１７）、メディア情報取得（Ｓ１８）を行う。次に、第２の回転速度に設定し（Ｓ１９）、サーボ調整（Ｓ１０）、信号調整（Ｓ２１）を行った後、後述するゴミ除去処理（Ｓ２２）を行って起動を終了しコマンド待ち状態となる。
【００３６】
図４は、ゴミ除去処理の手順を示す図である。光ディスクを回転させるスピンドルモータの回転速度をゴミ除去用の回転速度に設定し（Ｓ４１）、所定の待ち時間を設けて（Ｓ４２）ゴミ除去用の回転速度で光ディスクを回転させる。その後再生／記録用のモータ回転速度に設定して（Ｓ４３）ゴミ除去処理を終了する。
【００３７】
図５に、光ディスク装置の各モードにおけるモータの最大回転速度を示す。図５に示すように記録モードにおけるモータの最大回転速度よりもゴミ除去用の回転速度は、記録用の回転速度より大きく設定する。ゴミを除去する効果が得られるように高く設定するのが望ましいので、再生用の回転速度とほぼ同等とする。
【００３８】
図６は、本発明の光ディスク装置における記録動作の手順を示す。記録が開始されると、上述したゴミ除去処理がなされ（Ｓ６１）、その後、記録学習が行われ（Ｓ６２）、データ記録がなされて（Ｓ６３）記録を終了する。
【産業上の利用可能性】
【００３９】
本発明は、光ディスク上に付着したゴミを簡便に除去することができ、記録再生動作を正確に行うことが可能な光ディスク装置として利用することができる。
【図面の簡単な説明】
【００４０】
【図１】本発明の実施の形態に係る光ディスク装置の、上筐体を取り外した状態での外観を示す図
【図２】本発明の実施の形態に係る光ディスク装置のピックアップ制御部のブロック図
【図３】本発明の光ディスク装置における起動動作の手順を示す図
【図４】ゴミ除去処理の手順を示す図
【図５】ゴミ除去処理用の回転速度を、記録用回転速度、再生用回転速度と比較して示す図
【図６】本発明の光ディスク装置における記録動作の手順を示す図
【図７】従来の光ディスク装置における起動動作の手順を示す図
【図８】従来の光ディスク装置における記録動作の手順を示す図
【図９】光ディスク上にゴミが付着している様子を示す図
【図１０】従来のスリムトレイタイプ光ディスク装置の外観を示す図
【符号の説明】
【００４１】
１    ピックアップモジュール
２    光ピックアップ
３    スピンドルモータ
４    トレイ
５    トレイオープンボタン
６    上筐体
７    光ディスク
８    キャリッジ
９    フィード部
１０    フィードモータ
１１    アナログ信号処理部
１２    サーボ処理部
１３    モータ駆動部
１４    ディジタル信号処理部
１５    レーザ駆動部
１６    コントローラ
１７    下筐体
１８    基板
１９    フレキシブルプリントケーブル（ＦＰＣ）
２０    粘着性部材
【図１】
2006107635.tif 000003
【図２】
2006107635.tif 000004
【図３】
2006107635.tif 000005
【図４】
2006107635.tif 000006
【図５】
2006107635.tif 000007
【図６】
2006107635.tif 000008
【図７】
2006107635.tif 000009
【図８】
2006107635.tif 000010
【図９】
2006107635.tif 000011
【図１０】
2006107635.tif 000012